(57)【要約】 【課題】設置が容易でなおかつ設置後に剥がれ落ちる等の脱落を防止可能な配管内流体の識別具を提供する。【解決手段】本発明に係る配管内流体の識別具１は、材軸方向に沿ってスリット１１が形成された弾性材料からなる筒状部材１２で構成してあり、スリット１１を拡げることにより、該スリットを介して配管支持用吊りボルト２が筒状部材１２の内側空間に挿入されるとともに、該筒状部材が拡径状態から元の状態に戻ろうとする復元力で配管支持用吊りボルト２に保持されるようになっている。筒状部材１２は、その横断面が楕円状となるように、かつその長軸上にスリット１１が位置するように形成してあるとともに、筒状部材１２の各端には鍔状の環状リブ１３，１３を設けてあり、筒状部材１２のスリット１１を挟む対向縁部には、環状リブ１３，１３の一方から他方へ延設される形で縦リブ１４，１４を設けてある。【選択図】  図２
2018092123.tif 000002
【特許請求の範囲】
【請求項１】
配管内を流れる流体の種別を識別するための配管内流体の識別具において、
材軸方向に沿ってスリットが形成された弾性材料からなる筒状部材で構成され、前記スリットが拡がるように前記筒状部材を弾性変形させることにより、前記配管を吊持する配管支持用吊りボルトが前記スリットを介して前記筒状部材の内側空間に挿入されるとともに、該筒状部材が弾性変形前の状態に戻ろうとする復元力で前記配管支持用吊りボルトに保持されるようになっていることを特徴とする配管内流体の識別具。
【請求項２】
前記スリットの幅が前記筒状部材の所定部位から端部にかけて徐々に大きくなるように前記筒状部材を形成した請求項１記載の配管内流体の識別具。
【請求項３】
前記筒状部材の外観によって配管の流体種別を識別するように構成した請求項１又は請求項２記載の配管内流体の識別具。
【請求項４】
前記外観を流体の種類に関連付けられた色とした請求項３記載の配管内流体の識別具。
【請求項５】
前記筒状部材をその横断面が楕円状となるようにかつその長軸上に前記スリットが位置するように形成した請求項１乃至請求項４のいずれか一記載の配管内流体の識別具。
【請求項６】
前記筒状部材の内周面であってその短軸上に該筒状部材の材軸に沿って延びる断面湾曲状の嵌合溝を対向配置した請求項５記載の配管内流体の識別具。
【請求項７】
前記筒状部材の各端に鍔状の環状リブを設けた請求項１乃至請求項６のいずれか一記載の配管内流体の識別具。
【請求項８】
前記筒状部材の前記スリットを挟む対向縁部に対向面が互いに６０゜以上８０゜以下の角度をなすように縦リブをそれぞれ設けた請求項１乃至請求項６のいずれか一記載の配管内流体の識別具。
【発明の詳細な説明】
【技術分野】
【０００１】
本発明は、主として空調設備や給排水設備の配管支持ボルトに装着される配管内流体の識別具に関する。
【背景技術】
【０００２】
空気調和や給排水においては、それらの設備機器を運転するためにさまざまな種類の流体を取り扱う必要があり、空調関連の流体には、冷水、冷温水、温水、冷却水などがあり、給排水関連の流体には、補給水、給水、給湯、雑用水、消火水などがある。
【０００３】
これらの流体は配管を通して建物内を流れるが、配管の保守点検を効率よく行うためには、流体の種類を配管ごとに特定する必要があり、配管が複雑に交錯している場合には、他の配管と混同しないように識別のしやすさも重要になる。
【０００４】
そのため、配管に貼付して使用する表示識別ステッカーや、配管に巻き付けて使用する配管識別シートが知られており、これらの表示識別ステッカーや配管識別シートによれば、配管ごとに貼付しあるいは巻き付けておくことで各配管内を流れる流体の種類を一目で把握することができる（特許文献１、非特許文献１）。
【先行技術文献】
【特許文献】
【０００５】
【特許文献１】特開平７−１６８５２６号公報
【非特許文献】
【０００６】
【非特許文献１】「配管識別表示  カタログNo.HB-6」（ユニット株式会社、オンラインカタログ、１０頁〜第３５頁、[平成２８年１１月２２日検索]、インターネット＜URL :http://www.unit-signs.co.jp/catalog/catalog/hb/frame.html#page=42＞
【発明の概要】
【発明が解決しようとする課題】
【０００７】
しかしながら、特許文献１記載の表示識別ステッカーは、貼付後に剥がれ落ちてしまうという問題を生じており、非特許文献１記載の配管識別シートは、配管に巻き付けた上、その縁部同士を重ねて接着せねばならず、作業に時間がかかるという問題を生じていた。
【課題を解決するための手段】
【０００８】
本発明は、上述した事情を考慮してなされたもので、設置が容易でなおかつ設置後に剥がれ落ちる等の脱落を防止可能な配管内流体の識別具を提供することを目的とする。
【０００９】
上記目的を達成するため、本発明に係る配管内流体の識別具は請求項１に記載したように、配管内を流れる流体の種別を識別するための配管内流体の識別具において、
材軸方向に沿ってスリットが形成された弾性材料からなる筒状部材で構成され、前記スリットが拡がるように前記筒状部材を弾性変形させることにより、前記配管を吊持する配管支持用吊りボルトが前記スリットを介して前記筒状部材の内側空間に挿入されるとともに、該筒状部材が弾性変形前の状態に戻ろうとする復元力で前記配管支持用吊りボルトに保持されるようになっているものである。
【００１０】
また、本発明に係る配管内流体の識別具は、前記スリットの幅が前記筒状部材の所定部位から端部にかけて徐々に大きくなるように前記筒状部材を形成したものである。
【００１１】
また、本発明に係る配管内流体の識別具は、前記筒状部材の外観によって配管の流体種別を識別するように構成したものである。
【００１２】
また、本発明に係る配管内流体の識別具は、前記外観を流体の種類に関連付けられた色としたものである。
【００１３】
また、本発明に係る配管内流体の識別具は、前記筒状部材をその横断面が楕円状となるようにかつその長軸上に前記スリットが位置するように形成したものである。
【００１４】
また、本発明に係る配管内流体の識別具は、前記筒状部材の内周面であってその短軸上に該筒状部材の材軸に沿って延びる断面湾曲状の嵌合溝を対向配置したものである。
【００１５】
また、本発明に係る配管内流体の識別具は、前記筒状部材の各端に鍔状の環状リブを設けたものである。
【００１６】
また、本発明に係る配管内流体の識別具は、前記筒状部材の前記スリットを挟む対向縁部に対向面が互いに６０゜以上８０゜以下の角度をなすように縦リブをそれぞれ設けたものである。
【００１７】
本発明に係る配管内流体の識別具においては、その装着先を、配管や吊りバンドではなく、配管を吊持する配管支持用吊りボルトとした上、材軸方向に沿ってスリットが形成された弾性材料からなる筒状部材で構成してあり、このスリットを拡げることにより、よく詳しくは、このスリットが拡がるように筒状部材を弾性変形させることにより、該スリットを介して配管支持用吊りボルトが筒状部材の内側空間に挿入されるとともに、筒状部材がその拡径状態からの復元力で、よく詳しくは弾性変形前の状態に戻ろうとする復元力で配管支持用吊りボルトに保持されるようになっている。
【００１８】
このようにすると、配管支持用吊りボルトへの装着作業が瞬時に完了するとともに、装着後に脱落するおそれもないため、配管の流体種別が識別可能な状態を効率よく実現できるとともに、該識別可能状態を確実に維持することも可能となる。
【００１９】
スリットは、その幅が筒状部材の一端から他端まで概ね同一となるように形成されるのが典型例となるが、かかるスリットは、筒状部材の材軸方向に沿って形成される限り、必ずしも一端から他端まで同一幅に形成される必要はない。
【００２０】
特に、スリットの幅が筒状部材の所定部位から端部にかけて徐々に大きくなるように筒状部材を形成した構成においては、スリットの幅が筒状部材の端部で最大となるため、該端部を配管支持用吊りボルトの周面に当接させた姿勢で、筒状部材を配管支持用吊りボルトに押し込むようにすれば、スリットの幅が大きい分、挿入に要する力が小さくて済み、装着時の作業性が向上する。
【００２１】
この構成において、スリットのうち、筒状部材の材軸方向に沿って幅が一定となる長さ範囲を標準スリット部、幅が徐々に大きくなって末広がりとなる長さ範囲を拡開スリット部とすると、拡開スリット部は、筒状部材のいずれか一端に設けるようにしてもよし、各端に設けるようにしてもよい。ちなみに、標準スリット部と拡開スリット部の境界が上述した筒状部材の所定部位となる。
【００２２】
配管の流体種別が識別可能な状態は、例えば筒状部材に突設されたフックに、配管内流体の種類が識別できるように構成された識別プレートをぶら下げることでも可能であり、かかる場合には、筒状部材は、識別プレートを配管支持用吊りボルトに取り付けるための取付け機能のみを果たし、識別機能は識別プレートが受け持つことになるが、筒状部材の外観によって配管の流体種別を識別するように構成したならば、筒状部材は、取付け機能と識別機能とを兼ね備えることとなり、流体種別の識別可能状態をさらに効率よく実現することが可能となる。
【００２３】
筒状部材の外観には、長さや太さといった形状も包摂されるが、これを流体の種類に関連付けられた色としたならば、離れたところからでも容易に視認できるとともに、形状は均一にできるため、製作を低コストで行うことが可能となり、保管や運搬の際の取り扱いにも優れる。
【００２４】
着色構成としては例えば、冷水用を青、冷温水用を黄緑、温水用を黄赤、冷却水用を紺、補給水用を緑、給湯用をうすい赤紫、給水用を水色、消火用を赤とすることができる。
【００２５】
筒状部材は、スリットを介して内側空間に配管支持用吊りボルトを挿入可能で、弾性変形前の状態に戻ろうとする復元力で配管支持用吊りボルトに保持可能である限り、長さや太さは任意であるし、横断面の形状も限定されるものではなく、円形状の横断面でもかまわないが、筒状部材をその横断面が楕円状となるようにかつその長軸上にスリットが位置するように形成したならば、横断面を円形状とした場合よりも、配管支持用吊りボルトの外周面をより広く覆うことができるため、筒状部材の視認性が高くなり、ひいては配管の流体種別を確実に識別することが可能となる。
【００２６】
ここで、筒状部材の内周面であってその短軸上に該筒状部材の材軸に沿って延びる断面湾曲状の嵌合溝を対向配置したならば、配管支持用吊りボルトが細径であっても、該配管支持用吊りボルトが嵌合溝に嵌り込むため、筒状部材は、がたつきや遊びが生じることなく、遊び配管支持用吊りボルトにしっかりと保持される。
【００２７】
また、筒状部材の各端に鍔状の環状リブを設けたならば、本発明に係る配管内流体の識別具を配管支持用吊りボルトに段状に複数個装着する場合、筒状部材の端部同士が重なることがないため、装着時の作業性低下を防止することができる。
【００２８】
また、筒状部材のスリットを挟む対向縁部に対向面が互いに６０゜以上８０゜以下の角度なすように縦リブをそれぞれ設けたならば、該縦リブの対向面を配管支持用吊りボルトの外周面に摺動させながら押し込むことができるため、該配管支持用吊りボルトを筒状部材の内部空間に容易に挿入することが可能となる。
【００２９】
ここで、対向面を６０゜以上８０゜以下としたのは、この角度範囲だと、縦リブの対向面を配管支持用吊りボルトの外周面に当接させやすくなるからである。
【図面の簡単な説明】
【００３０】
【図１】本実施形態に係る配管内流体の識別具１を、該配管内流体の識別具が装着される配管支持用吊りボルト２とともに示した正面図。
【図２】配管内流体の識別具１を示した全体斜視図。
【図３】配管内流体の識別具１を示した図であり、(a)は縦断面図、(b)はＡ−Ａ線方向からの矢視図（平面図）、(b)はＢ−Ｂ線に沿う横断面図。
【図４】配管内流体の識別具１を配管支持用吊りボルト２に装着する様子を示した説明図であり、(a)は配管支持用吊りボルト２が細径である場合、(b)は配管支持用吊りボルトが太径である場合の図。
【図５】配管内流体の識別具１の作用を示した説明図。
【図６】配管内流体の識別具１を配管支持用吊りボルト２に段状に複数装着した様子を示した正面図。
【図７】変形例に係る配管内流体の識別具を示した正面図。
【図８】別の変形例に係る配管内流体の識別具を示した図であって、(a)は平面図、(b)は横断面図。
【図９】さらに別の変形例に係る配管内流体の識別具９１を示した全体斜視図。
【図１０】同じく配管内流体の識別具９１を示した図であって、(a)は正面図、(b)はＣ−Ｃ線に沿う横断面図。
【図１１】同じく配管内流体の識別具９１を配管支持用吊りボルト２とともに示した正面図。
【発明を実施するための形態】
【００３１】
以下、本発明に係る配管内流体の識別具の実施の形態について、添付図面を参照して説明する。
【００３２】
図１は、本実施形態に係る配管内流体の識別具１を、該配管内流体の識別具が装着される配管支持用吊りボルト２とともに示した正面図であり、配管支持用吊りボルト２は、その上端を天井や上階床スラブ（図示せず）の下面に取り付けてあるとともに、その下端には、連結具３を介して吊りバンド４を連結してあり、該吊りバンドの配管挿通部５に配管６を挿通することで、該配管を上述の天井や上階床スラブから吊持できるようになっている。
【００３３】
図２は、配管内流体の識別具１を示した全体斜視図、図３は、同じく断面図及び矢視図である。これらの図でわかるように、配管内流体の識別具１は、材軸方向に沿ってスリット１１が形成された弾性材料からなる筒状部材１２で構成してあり、スリット１１を拡げる、より詳しくは、スリット１１が拡がるように筒状部材１２を弾性変形させることにより、該スリットを介して配管支持用吊りボルト２が筒状部材１２の内側空間に挿入されるとともに、該筒状部材が拡径状態から図３(b)及び(c)に示した元の状態に戻ろうとする復元力、すなわち筒状部材１２が弾性変形前の状態に戻ろうとする復元力で配管支持用吊りボルト２に保持されるようになっている。
【００３４】
配管内流体の識別具１は、ポリプロピレン等の樹脂材料で形成すればよい。
【００３５】
筒状部材１２は、その横断面が楕円状となるように、かつその長軸上にスリット１１が位置するように形成してあるとともに、筒状部材１２の各端には鍔状の環状リブ１３，１３を設けてあり、配管内流体の識別具１を配管支持用吊りボルト２に段状に複数個装着する場合に筒状部材１２の端部同士が重ならないようにしてある。
【００３６】
また、筒状部材１２のスリット１１を挟む対向縁部には、環状リブ１３，１３の一方から他方へ延設される形で縦リブ１４，１４を設けてある。
【００３７】
縦リブ１４，１４は、対向面が互いに６０゜以上８０゜以下の角度なすように、本実施形態では一例としてほぼ７０゜となるように形成してあり、スリット１１を介した筒状部材１２の内側空間への配管支持用吊りボルト２の挿入操作をスムーズに行うことができるようになっている。
【００３８】
また、筒状部材１２は、流体の種類に関連付けられた色で着色してあり、該筒状部材の外観によって配管６の流体種別を識別できるようになっている。
【００３９】
着色構成としては例えば、冷水用を青、冷温水用を黄緑、温水用を黄赤、冷却水用を紺、補給水用を緑、給湯用をうすい赤紫、給水用を水色、消火用を赤とすればよい。
【００４０】
図４は、配管支持用吊りボルト２が細径の配管支持用吊りボルトである場合（同図(a)）と太径の配管支持用吊りボルトである場合（同図(b)）において、該各配管支持用吊りボルトに本実施形態に係る配管内流体の識別具１をそれぞれ装着する様子を示した横断面図である。
【００４１】
同図に示すように、本実施形態に係る配管内流体の識別具１を配管支持用吊りボルト２に装着するには、筒状部材１２のスリット１１が配管支持用吊りボルト２に対面するように配管内流体の識別具１を把持し、次いで、筒状部材１２の縦リブ１４，１４の対向面が配管支持用吊りボルト２の外周面に押し当てられるようにしながら（同図(a)、(b)の上段）、該各配管支持用吊りボルトの側に押し込むだけでよい。
【００４２】
このようにすると、筒状部材１２のスリット１１が拡がり（同図(a)、(b)の中段）、該スリットを介して配管支持用吊りボルト２が筒状部材１２の内側空間に挿入されるとともに（同図(a)、(b)の下段）、該筒状部材が元の状態（同図(a)、(b)の上段）に戻ろうとする復元力で配管支持用吊りボルト２に保持される。
【００４３】
以上説明したように、本実施形態に係る配管内流体の識別具１によれば、その装着先を、配管６や吊りバンド５ではなく、配管６を吊持する配管支持用吊りボルト２とした上、筒状部材１２のスリット１１を介して配管支持用吊りボルト２が筒状部材１２の内側空間に挿入されるとともに、該筒状部材が拡径状態から元の状態に戻ろうとする復元力によって配管支持用吊りボルト２に保持されるように構成したので、配管支持用吊りボルト２への装着作業は瞬時に完了するとともに、装着後に脱落するおそれもない。
【００４４】
そのため、配管６の流体種別が識別可能な状態を効率よく実現できるとともに、該識別可能状態を確実に維持することも可能となる。
【００４５】
また、本実施形態に係る配管内流体の識別具１によれば、筒状部材１２の外観によって配管６の流体種別を識別するように構成したので、筒状部材１２は、取付け機能と識別機能の両方を兼ね備えることとなり、流体種別の識別可能状態を効率よく実現することが可能となる。
【００４６】
また、本実施形態に係る配管内流体の識別具１によれば、筒状部材１２の外観を流体の種類に関連付けられた色としたので、離れたところからでも容易に視認できるとともに、形状は均一にできるため、製作を低コストで行うことが可能となり、保管や運搬の際の取り扱いにも優れる。
【００４７】
また、本実施形態に係る配管内流体の識別具１によれば、筒状部材１２をその横断面が楕円状となるようにかつその長軸上にスリット１１が位置するように形成したので、横断面を円形状とした場合よりも、配管支持用吊りボルト２の外周面をより広く覆うことができる。
【００４８】
そのため、筒状部材１２の視認性が高くなり、ひいては配管６の流体種別を確実に識別することが可能となる。
【００４９】
すなわち、横断面が円状となるように筒状部材を構成した場合、配管内流体の識別具における太径と細径、２種類への対応は、図５(a)に示すように周方向に沿った均等な曲率変化による追従となり、周長は変化しないため、太径の配管支持用吊りボルトにおいてその外周面が十分に覆われるように本発明に係る配管内流体の識別具を構成すると（同図右側）、細径の配管支持用吊りボルトに適用した際（同図左側）、筒状部材の対向縁部同士が先に当接するために筒状部材の内周面が配管支持用吊りボルトの外周面と当接せずに隙間が生じ、その結果、配管支持用吊りボルトに保持されない状況が生じる。
【００５０】
したがって、細径の配管支持用吊りボルトに適用する場合を考慮すると、太径の配管支持用吊りボルトの外周面を十分に覆うことができず、配管内流体の識別具を全方位から視認することが難しくなる場合が生じる。
【００５１】
それに対し、筒状部材１２を横断面が楕円状となるように構成してなる本実施形態の配管内流体の識別具１の場合、図５(b)に示したように、配管支持用吊りボルト２が細径のときには（同図左側）、その外周面のうち、背中合わせとなる２点で、配管内流体の識別具１の側では短軸方向の２点で保持されれば足り、長軸方向では、配管支持用吊りボルト２の外周面から離間する形で長軸方向の余長分を吸収することができるので、配管支持用吊りボルト２が太径のときにその外周面が十分に覆われるように構成しても、細径の配管支持用吊りボルトへの適用に何ら問題は生じない。
【００５２】
また、本実施形態に係る配管内流体の識別具１によれば、筒状部材１２の各端に鍔状の環状リブ１３，１３を設けるようにしたので、図６に示すように配管支持用吊りボルト２に段状に複数個装着する場合であっても、筒状部材１２の端部同士が重なることが原因で装着作業に時間がかかるおそれはない。
【００５３】
また、本実施形態に係る配管内流体の識別具１によれば、筒状部材１２のスリット１１を挟む対向縁部に、環状リブ１３，１３の一方から他方へ延設される形で縦リブ１４，１４を設けるようにしたので、該縦リブの対向面を配管支持用吊りボルト２の外周面に摺動させながら押し込むことが可能となり、かくして配管支持用吊りボルト２を筒状部材１２の内部空間に容易に挿入することが可能となる。
【００５４】
本実施形態では、配管支持用吊りボルト２への装着容易性を高めるため、筒状部材１２のスリット１１を挟む対向縁部に縦リブ１４，１４を設けるようにしたが、上述の装着容易性に問題がないのであれば、縦リブ１４，１４を省略してもかまわない。
【００５５】
また、本実施形態では、配管内流体の識別具１を段状に装着することを想定し、その際の作業性が低下しないように筒状部材１２の各端に鍔状の環状リブ１３，１３を設けるようにしたが、複数装着を想定する必要がなく、想定の必要があったとしても端部の重なりを懸念する必要がないのであれば、環状リブ１３，１３についてもこれを省略することが可能である。
【００５６】
また、本実施形態では、太径と細径の２種類の配管支持用吊りボルトに適応できるよう、筒状部材をその横断面が楕円状になるように構成したが、異なる径サイズへの適用を考慮する必要がない、配管支持用吊りボルトの外周面を半分程度覆うことができれば視認性に問題はないといった状況であれば、筒状部材をその横断面が円状となるように構成してもかまわない。
【００５７】
また、本実施形態では、筒状部材１２の外観を流体の種類に関連付けられた色としたが、色に代えて、形状の相違、例えば筒状部材の長さや太さの違いによって流体の種類を識別するようにしてもかまわない。
【００５８】
また、本実施形態では、筒状部材１２の外観によって配管６の流体種別を識別するように構成することで、筒状部材に取付け機能と識別機能を併せ持たせたが、これに代えて、筒状部材１２を配管支持用吊りボルト２への取付け機能のみに限定し、識別機能については別手段で実現することが可能である。
【００５９】
図７は、本実施形態の筒状部材１２と着色構成を除いて同様に構成された筒状部材１２ａの環状リブ１３，１３のうち、装着時に下方となる環状リブ１３に掛止部６１を突設するとともに、該掛止部に形成された挿通孔６２にフック６４を掛けることで、該フックを介して配管６の流体種類が識別可能に構成された識別プレート６３を吊り下げることができるように構成してある。
【００６０】
かかる構成においては、筒状部材１２ａは、識別プレート６３を配管支持用吊りボルト２に取り付けるための取付け機能のみを果たし、識別機能は識別プレート６３が受け持つことになる。
【００６１】
また、本実施形態では特に言及しなかったが、図８(a)に示すように、筒状部材１２に代えて、楕円状横断面の短軸上であって内周面の対向位置に材軸方向に延びる断面湾曲状の嵌合溝７１，７１を配置してなる筒状部材１２ａを採用することができる。
【００６２】
かかる構成によれば、同図(b)に示すように、配管支持用吊りボルト２が細径であっても、該配管支持用吊りボルトが嵌合溝７１，７１に嵌り込むため、筒状部材１２ａは、がたつきや遊びが生じることなく、配管支持用吊りボルト２にしっかりと保持される。
【００６３】
なお、筒状部材１２ａは、嵌合溝７１，７１を設けた点を除き、筒状部材１２と同様の構成であるので、詳細な説明は省略する。
【００６４】
また、本実施形態では、スリット１１の幅が筒状部材１２の一端から他端まで概ね同一となるように該筒状部材を形成したが、かかる構成に代えて、図９及び図１０に示すように、材軸方向に沿ってスリット１１ａが形成され横断面が円形状の弾性材料からなる筒状部材９２で配管内流体の識別具９１を構成し、スリット１１ａが拡がるように筒状部材９２を弾性変形させることで、該スリットを介して配管支持用吊りボルト２が筒状部材９２の内側空間に挿入されるとともに、該筒状部材が弾性変形前の状態に戻ろうとする復元力で配管支持用吊りボルト２に保持されるようになっているが、スリット１１ａは、その幅が一定となるように延設された標準スリット部９４と、該標準スリット部の一方の端部側にて幅が徐々に大きくなって末広がりとなるように延設された拡開スリット部９３とで構成してある。
【００６５】
かかる構成においては、スリット１１ａの幅が筒状部材９２の端部で最大となるため、図１１に示すように、筒状部材９２の端部を配管支持用吊りボルト２の周面に当接させた姿勢で、筒状部材９２を配管支持用吊りボルト２に押し込むようにすれば、スリット１１ａの幅が大きい分、挿入に要する力が小さくて済み、装着時の作業性が向上する。
【００６６】
なお、スリット１１ａに関する構成を除く着色その他の筒状部材９２の構成は、筒状部材１２と概ね同様の構成であるし、筒状部材９２の各端に鍔状の環状リブ１３，１３を設けることで、配管内流体の識別具９１を配管支持用吊りボルト２に段状に複数個装着する場合に筒状部材９２の端部同士が重ならないようになっている点、さらには筒状部材９２のスリット１１ａを挟む対向縁部に、環状リブ１３，１３の一方から他方へ延設される形で縦リブ１４，１４を設けるとともにそれらの対向面がほぼ６０゜となるように形成することで、スリット１１ａを介した筒状部材９２の内側空間への配管支持用吊りボルト２の挿入操作をスムーズに行うことができるようになっている点については、上述した実施形態とほぼ同様であり、ここではその詳細な説明を省略する。
【００６７】
また、上述したスリット１１ａに関する変形例では、配管支持用吊りボルト２への装着容易性を高めるため、筒状部材９２のスリット１１ａを挟む対向縁部に縦リブ１４，１４を設けるようにしたが、上述の装着容易性に問題がないのであれば、縦リブ１４，１４を省略してもかまわない。
【００６８】
また、同変形例では、配管内流体の識別具９１を段状に装着することを想定し、その際の作業性が低下しないように筒状部材９２の各端に鍔状の環状リブ１３，１３を設けるようにしたが、複数装着を想定する必要がなく、想定の必要があったとしても端部の重なりを懸念する必要がないのであれば、環状リブ１３，１３についてもこれを省略することが可能である。
【００６９】
また、同変形例では、筒状部材９２をその横断面が円状となるように構成したが、太径と細径の２種類の配管支持用吊りボルトに適応できるようにする必要があるのであれば、上述した実施形態と同様、筒状部材をその横断面が楕円状になるように構成することが可能である。
【００７０】
また、同変形例では、筒状部材９２の外観を流体の種類に関連付けられた色としたが、色に代えて、形状の相違、例えば筒状部材の長さや太さの違いによって流体の種類を識別するようにしてもかまわない。
【００７１】
また、同変形例では、筒状部材９２の外観によって配管６の流体種別を識別するように構成することで、筒状部材に取付け機能と識別機能を併せ持たせたが、これに代えて、筒状部材９２を配管支持用吊りボルト２への取付け機能のみに限定し、識別機能については、上述した実施形態と同様に別手段で実現することが可能である。
【符号の説明】
【００７２】
１，９１    配管内流体の識別具
２          配管支持用吊りボルト
６          配管
１１，１１ａ  スリット
１２，９２    筒状部材
１３    環状リブ
１４    縦リブ
７１    嵌合溝
９３    拡開スリット部
９４    標準スリット部
【図１】
2018092123.tif 000003
【図２】
2018092123.tif 000004
【図３】
2018092123.tif 000005
【図４】
2018092123.tif 000006
【図５】
2018092123.tif 000007
【図６】
2018092123.tif 000008
【図７】
2018092123.tif 000009
【図８】
2018092123.tif 000010
【図９】
2018092123.tif 000011
【図１０】
2018092123.tif 000012
【図１１】
2018092123.tif 000013